(57)【要約】      （修正有）【課題】マイク専用の殺菌消毒装置等を不要にし、極めて簡単な構成にして、マイク自信を常に清潔に保つことを可能にした清潔なマイクロフォンを提供する。【解決手段】ドーム型カバー１０１と、ダイヤフラム１０２と、コイル１０３と、永久磁石１０５とからなる清潔なマイクロフォンであって、ドーム型カバー内に消毒殺菌具を内設したことを特徴とする。殺菌具は、交換可能にした消毒殺菌液含浸の布２０２を入れた籠２００又はオン・オフ可能にした消毒殺菌灯である。【選択図】図１
0003225967.tif 000002
【実用新案登録請求の範囲】
【請求項１】
ドーム型カバーと、ダイヤフラムと、コイルと、永久磁石とからなる清潔なマイクロフォンにおいて、前記ドーム型カバー内に消毒殺菌具を内設し、前記消毒殺菌具は、交換可能にした消毒殺菌液含浸布入り籠又はオン・オフ可能にした消毒殺菌灯であることを特徴とする清潔なマイクロフォン。
【考案の詳細な説明】
【技術分野】
【０００１】  本考案は、清潔なマイクロフォンに関する。
【背景技術】
【０００２】  どうでんがたダイナミックマイクや二次電池内蔵のワイヤレスマイクロフォン（以下単にマイクとも言う）は、先部に螺合した金属製網で形成のドーム型カバーと、カバー内に配置されプラスチックフィルムをドーム状に成形した振動板（ダイヤフラム）と、このダイヤフラムに接続して共振するコイルと、このコイル内に隣接して当該マイク基部に固定した永久磁石とからなり、音声による音波をダイヤフラムが受けて振動し同時にコイルが永久磁石の磁界内で振動するとコイルに起電力が発生して音声信号を得るものである。【０００３】  近年、誰でもマイクを握る機会が増えている。多くのひとがスナック等の飲食店、カラオケ店で楽しんでおりカラオケが普遍化し盛況である。
しかしカラオケボックス、スナック等では、備え付けの同じワイヤレスマイクを不特定多数の人が次から次へと、手渡し使用している。
このようにマイクは、他人が不潔な手で握った後、手渡したり、マイクのヘッドの部分を口に近付け口臭を吹付けて嘗めるように歌う人もいるし、実際に酒気を帯びて歌う人も多く、多量の唾液や汁、食べ滓を付着させて汚す人が多くいる。衛生面から考えると、非常に不潔な状態にある。【０００４】  そこで、特許文献１及び特許文献２にて紹介のように、使用するマイクのドーム型カバーにハンカチをかぶせたり消毒液含浸のカバーをかぶせたりしてその場限りの注意をする人があるが、あまりにも少なく前述の不潔性は払拭しない。このため異臭を放ち、病原菌もマイク内に侵入して増え、感染を注意する必要がある。感冒等が流行するとその媒介をする恐れもある。このような最近の現状から特許文献３にて紹介のマイク専用の大型で費用の掛かる殺菌消毒装置等が出現している。
【先行技術文献】
【特許文献】
【０００５】
【特許文献１】実開昭５４−１４８６８２号公報
【特許文献２】実開平６−７７３９３号公報
【特許文献３】実用新案登録第３００８４９５号公報
【考案の概要】
【考案が解決しようとする課題】
【０００６】  本考案は、マイク専用の殺菌消毒装置等を不要にし、極めて簡単の構成にして、マイク自信を常に清潔に保つことを可能にした清潔なマイクロフォンを提供する。
【課題を解決するための手段】
【０００７】  本考案は、前記課題を解決する技術的手段として次の（１）〜（２）を特徴とするものである。
（１）、ドーム型カバーと、ダイヤフラムと、コイルと、永久磁石とからなる清潔なマイクロフォンにおいて、前記ドーム型カバー内に消毒殺菌具を内設したことを特徴とする清潔なマイクロフォン。
（２）前記殺菌具は、交換可能にした消毒殺菌布入り籠又はオン・オフ可能にした消毒殺菌灯であることを特徴とする清潔なマイクロフォン。
【考案の効果】
【０００８】  このように構成された、本考案の清潔なマイクロフォンは、消毒布入り籠からの消毒布の交換で常に殺菌消毒済みが保たれ、またＵＶ灯等の消毒殺菌灯を未使用時にオンさせて消毒殺菌し、使用時にオフにすればこれも常に殺菌消毒済みが保たれる。本例のマイクは、ＵＶ灯等の消毒殺菌灯による消毒殺菌は多少時間がかかるが、複数本ローティーションように予備を用意すればよく、これらにより殺菌消毒済みの清潔なマイクロフォンを使用する人は、前述した他人の唾汗や口臭、細菌等の不安から逃れることができ、快適に歌を楽しむことができるなどの優れた作用効果を呈する。
【図面の簡単な説明】
【０００９】
【図１】（１）の清潔なマイクロフォン例は、前記消毒殺菌具を、交換可能にした消毒殺菌布入り籠２００にした例である。（２）の清潔なマイクロフォン例は、前記消毒殺菌具を、手元でオン・オフ可能にした消毒殺菌灯３００にした例である。
【考案を実施するための態様】
【００１０】  本考案の実施態様は、図１と図２に示す実施例により詳細に説明する。
図１の清潔なマイクロフォン例は、前記消毒殺菌具を、交換可能にした消毒殺菌布入り籠２００にした例である。
図２の清潔なマイクロフォン例は、前記消毒殺菌具を、手元でオン・オフ可能にした消毒殺菌灯３００にした例である。
【００１１】  図１及び図２において、清潔なマイクロフォンは、先部に螺合した金属製網で形成のドーム型カバー１０１と、カバー内に配置されプラスチックフィルムをドーム状に成形しスプリング膜１０６で振動可能に支持した振動板：ダイヤフラム１０２と、このダイヤフラム１０２に接続して共振するコイル１０３と、このコイル１０３内に隣接して当該マイク基部１０４に固定した永久磁石１０５とからなり、音声による音波をダイヤフラム１０２が受けて振動し同時にコイル１０３が永久磁石１０５の磁界内で振動するとコイル１０３に起電力が発生して音声信号を得るものである。
【００１２】  図１において、前記消毒殺菌具の消毒殺菌布入り籠２００は、ドーム型カバー１０１の頂部中央部に形成した挿通口１０１−１からマイク内に取り出し可能に螺合装入する網目の籠本体２０１と、籠本体２０１の上部の螺合部の内側に設けた開閉蓋２０３と、開閉蓋２０３から籠本体２０１内に交換可能に装填した消毒殺菌液含浸の布２０２とからなる。
網目の籠本体２０１は網目のため、音声をダイヤフラム１０２に伝えるには何ら支障はない。
消毒殺菌液含浸の布２０２の交換は、開閉蓋２０３の開閉で行うが、マイクに消毒殺菌布入り籠２００を螺合したままでも、マイクから消毒殺菌液含浸布入り籠２００を取り外しても臨機応変に自在に可能である。
【００１３】  図２において、前記消毒殺菌具の消毒殺菌灯３００は、ドーム型カバー１０１の内周面にマイク内に照射可能に設けたＵＶＬＥＤランプ３０１と、これに通電する豆ボタン電池３０２と、ＵＶＬＥＤランプ３０１をマイク使用時にオフして、万一に使用する人の目等にＵＶが反射照射しないようにマイク使用時にオフにし、マイク未使用時にオンにするｏｎ／ｏｆｆスイッチ３０３とからなる。前記ｏｎ／ｏｆｆスイッチ３０３は、ドーム型カバー１０１の下部螺合部の外周部に付設し、スイッチ操作を容易に可能にする。前記豆ボタン電池３０２は、ドーム型カバー１０１の下部の螺合部を受ける本体側の螺合外周部に電池交換可能に内設してある。
前記豆ボタン電池３０２は、ダイレクトマイクは必要であり、二次電池内蔵のワイヤレスマイクの場合はそれを共用するので不要である。
【産業上の利用可能性】
【００１４】  本考案は、前記の優れた作用効果を呈するものであり、一般家庭への寄与は勿論のこと、カラオケ業界等に貢献すること多大なものある。
【符号の説明】
【００１５】  １０１：ドーム型カバー
１０１−１：挿通口
１０２：ダイヤフラム
１０３：コイル
１０４：マイク基部
１０５：永久磁石
１０６：スプリング膜
２００：消毒殺菌布入り籠
２０１：籠本体
２０２：消毒殺菌布
２０３：開閉蓋
３００：消毒殺菌具の消毒殺菌灯
３０１：ＵＶＬＥＤランプ
３０２：豆ボタン電池
３０３：ｏｎ／ｏｆｆスイッチ
【図１】
0003225967.tif 000003
【図２】
0003225967.tif 000004
【手続補正書】
【提出日】令和2年2月24日(2020.2.24)
【手続補正１】
【補正対象書類名】明細書
【補正対象項目名】０００９
【補正方法】変更
【補正の内容】
【０００９】
【図１】図１に示す清潔なマイクロフォン例は、前記消毒殺菌具を、交換可能にした消毒殺菌布入り籠２００にした例である。
【図２】図２に示す清潔なマイクロフォン例は、前記消毒殺菌具を、手元でオン・オフ可能にした消毒殺菌灯３００にした例である。